【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
モバイルデバイスのプロセッサによって実行されるワイヤレス通信の方法であって、
将来互換制御チャネルに関連付けられるとともに、前記制御チャネル中で記述される複数の特徴の指示、および前記制御チャネルの複数の領域中で前記複数の特徴がどのように構成されるかという指示を与える構成情報を受信するステップと、
前記制御チャネルを受信するステップであって、前記制御チャネルはモバイルデバイスのグループに共通であり、前記モバイルデバイスによってサポートされる前記複数の特徴のうちの1つまたは複数に関連付けられた1つまたは複数の領域の第1のサブセットを含み、情報がない1つまたは複数の領域の第2のサブセットを含み、それにより、前記第2のサブセットは、前記複数の特徴のうちの別の1つまたは複数を記述する情報を将来構成が含むために利用可能である、ステップと、
サポートされる前記複数の特徴のうちの1つまたは複数に関連付けられる、1つまたは複数の領域の前記第1のサブセットを処理し、情報がない1つまたは複数の領域の前記第2のサブセットを処理しないステップとを含み、
前記受信した構成情報が、前記複数の特徴の各々のために割り振られた前記制御チャネルのサイズの指示、および前記複数の特徴が前記制御チャネル中に含まれる順序の指示をさらに含む、方法。
【請求項２】
前記受信された制御チャネルの前記複数の領域のうちの異なる領域は、前記複数の特徴のうちの異なる特徴のために割り振られ、
前記異なる領域のサブセットが異なるように構成されること、および
前記異なる領域の各々が、異なるように構成されること、のうちの1つである、請求項1に記載の方法。
【請求項３】
処理される1つまたは複数の領域の前記第1のサブセットは、同じ構成情報および制御チャネルを受信する別のモバイルデバイスによって処理される前記制御チャネルの前記複数の領域のうちの1つまたは複数の領域の第3のサブセットとは異なる、請求項1に記載の方法。
【請求項４】
前記制御チャネルのロケーションおよび/またはコーディング方式情報を含む前記構成情報を受信するステップと、
前記構成情報によって示される前記ロケーションにおいて前記制御チャネルを検出するステップとをさらに含む、請求項1に記載の方法。
【請求項５】
前記制御チャネルを復号するステップをさらに含み、前記復号するステップは、ブラインド復号を含まないか、または削減された回数のブラインド復号を伴う、請求項1に記載の方法。
【請求項６】
前記構成情報が、前記制御チャネルの少なくともサイズを含むこと、ならびに
前記制御チャネルが、前記構成情報および制御チャネルを受信するモバイルデバイスによって知られている固定サイズを有すること、のうちの少なくとも1つである、請求項1に記載の方法。
【請求項７】
ワイヤレス通信のために構成された装置であって、
将来互換制御チャネルに関連付けられるとともに、前記制御チャネル中で記述される複数の特徴の指示、および前記制御チャネルの複数の領域中で前記複数の特徴がどのように構成されるかという指示を与える構成情報を受信するための手段と、
前記制御チャネルを受信するための手段であって、前記制御チャネルはモバイルデバイスのグループに共通であり、サポートされる前記複数の特徴のうちの1つまたは複数に関連付けられた1つまたは複数の領域の第1のサブセットを含み、情報がない1つまたは複数の領域の第2のサブセットを含み、それにより、前記第2のサブセットは、前記複数の特徴のうちの別の1つまたは複数を記述する情報を将来構成が含むために利用可能である、手段と、
前記装置によってサポートされる前記複数の特徴のうちの1つまたは複数に関連付けられる、1つまたは複数の領域の前記第1のサブセットを処理し、情報がない1つまたは複数の領域の前記第2のサブセットを処理しないための手段とを備え、
前記受信した構成情報が、前記複数の特徴の各々のために割り振られた前記制御チャネルのサイズの指示、および前記複数の特徴が前記制御チャネル中に含まれる順序の指示をさらに含む、装置。
【請求項８】
前記装置はモバイルデバイスを含む、請求項7に記載の装置。
【請求項９】
基地局のプロセッサによって実行されるワイヤレス通信の方法であって、
モバイルデバイスによってサポートされる複数の特徴のうちの1つまたは複数を記述する情報を含むように、将来互換制御チャネルの複数の領域のサブセットを構成することによって、および前記サブセットの一部ではない前記複数の領域の少なくとも一部分を、情報がないように構成することによって、前記制御チャネルの前記複数の領域を、前記複数の特徴を記述する情報を含むように構成するステップであって、そうすることによって、前記少なくとも一部分が、前記複数の特徴のうちの別の1つまたは複数を記述する情報を将来構成が含むために利用可能になる、ステップと、
前記制御チャネルに関連付けられた構成情報を送信するステップであって、前記送信される構成情報は、前記制御チャネル中で記述される前記複数の特徴の指示、および前記複数の特徴が前記制御チャネルの前記複数の領域中でどのように構成されるかという指示を、前記モバイルデバイスに与える、ステップと、
前記制御チャネルを送信するステップであって、前記制御チャネルはモバイルデバイスのグループに共通である、ステップとを含み、
前記送信される構成情報が、前記複数の特徴の各々のために割り振られた前記制御チャネルのサイズの指示、および前記複数の特徴が前記制御チャネル中に含まれる順序の指示をさらに含む、方法。
【請求項１０】
前記制御チャネルのロケーションおよび/またはコーディング方式情報を含む構成情報を送信するステップと、
前記構成情報によって示される前記ロケーションにおいて前記制御チャネルを送信するステップとをさらに含む、請求項9に記載の方法。
【請求項１１】
前記制御チャネルの前記複数の領域のうちの異なる領域を、前記複数の特徴のうちの異なる特徴のために割り振るステップと、
前記異なる領域のサブセットを異なるように構成するか、または前記異なる領域の各々を異なるように構成するステップとをさらに含む、請求項9に記載の方法。
【請求項１２】
前記制御チャネルの前記複数の領域の別のサブセットを、別のモバイルデバイスによってサポートされる前記複数の特徴のうちの1つまたは複数を記述する情報を含むように構成するステップをさらに含み、前記モバイルデバイスによってサポートされる前記複数の特徴のうちの前記1つまたは複数は、前記別のモバイルデバイスによってサポートされる前記特徴とは異なる、請求項9に記載の方法。
【請求項１３】
前記構成情報が、前記制御チャネルの少なくともサイズを含むこと、および
前記制御チャネルが、前記モバイルデバイスによって知られている固定サイズを有すること、のうちの少なくとも1つである、請求項9に記載の方法。
【請求項１４】
ワイヤレス通信のために構成された装置であって、
モバイルデバイスによってサポートされる複数の特徴のうちの1つまたは複数を記述する情報を含むように、将来互換制御チャネルの複数の領域のサブセットを構成することによって、および前記サブセットの一部ではない前記複数の領域の少なくとも一部分を、情報がないように構成することによって、前記制御チャネルの前記複数の領域を、前記複数の特徴を記述する情報を含むように構成するための手段であって、そうすることによって、前記少なくとも一部分が、前記複数の特徴のうちの別の1つまたは複数を記述する情報を将来構成が含むために利用可能になる、手段と、
前記制御チャネルに関連付けられた構成情報を送信するための手段であって、前記送信される構成情報は、前記制御チャネル中で記述される前記複数の特徴の指示および前記複数の特徴が前記制御チャネルの前記複数の領域中でどのように構成されるかという指示を、前記モバイルデバイスに与える、手段と、
前記制御チャネルを送信するための手段であって、前記制御チャネルはモバイルデバイスのグループに共通である、手段とを備え、
前記送信される構成情報が、前記複数の特徴の各々のために割り振られた前記制御チャネルのサイズの指示、および前記複数の特徴が前記制御チャネル中に含まれる順序の指示をさらに含む、装置。
【請求項１５】
前記装置が基地局を含む、請求項14に記載の装置。